(57)【要約】【課題】  操作棒を介して操作しても、工具を保持する力を安定させるのが容易である工具保持器具を提供する。【解決手段】  配電設備７に取り付けられる本体１と、操作棒８の先端部に着脱可能な工具２に設けられ、面ファスナにより本体１に着脱可能な工具保持体２２とを備えることを特徴とする。または、工具９，１０に取り付けられ、面ファスナにより本体３に着脱可能な工具保持体４を備えることを特徴とする。【選択図】  図４
2010193611.tif 000002
【特許請求の範囲】
【請求項１】
配電設備に取り付けられる本体と、操作棒の先端部に着脱可能な工具に取り付けられ又は設けられ、面ファスナにより本体に着脱可能な工具保持体とを備えることを特徴とする工具保持器具。
【請求項２】
工具保持体は、面ファスナの一方の部材を備え、本体は、面ファスナの他方の部材を備えると共に、面ファスナの各部材が係合する際に、工具保持体を下方側から支持する支持部を備える請求項１に記載の工具保持具。
【請求項３】
本体は、面ファスナの他方の部材を配置する平面状の係合部を備え、係合部は、本体が配電設備に取り付けられた際に上下方向に沿って配置され、支持部は、工具保持体を下方側から支持すべく、係合部から突出して形成される請求項２に記載の工具保持器具。
【請求項４】
各面ファスナの部材は、工具保持体が本体に取り付けられた際に、係合する面積が所定方向に向けて小さくなるように形成される請求項１〜３の何れか１項に記載の工具保持器具。
【発明の詳細な説明】
【技術分野】
【０００１】
本発明は、配電設備における間接活線工法にて用いられる操作棒の先端部に着脱可能な工具を保持する工具保持器具に関する。
【背景技術】
【０００２】
従来、間接活線工法にて用いられる操作棒の先端部に着脱可能な工具を保持する工具保持器具として、例えば、事故点探査装置の課電端子を保持する工具保持器具が知られている（例えば、特許文献１）。かかる工具保持器具は、課電端子を着脱可能な挟持状態で保持可能な弾性体を備えている。
【先行技術文献】
【特許文献】
【０００３】
【特許文献１】特開２００６−３１８７２０号公報
【発明の概要】
【発明が解決しようとする課題】
【０００４】
そして、かかる工具保持器具においては、弾性体が弾性変形することにより課電端子を保持するため、弾性体の変形が異なる場合には、当然、課電端子を保持（挟持）する力も変化する。したがって、課電端子等の工具を保持する力を一定にするには、弾性体の変形も一定にする必要がある。
【０００５】
しかしながら、かかる操作については、操作棒を介して行う必要があるため、非常に困難である。即ち、かかる工具保持器具において、工具を保持する力を安定させるのが困難である。
【０００６】
よって、本発明は、かかる事情に鑑み、操作棒を介して操作しても、工具を保持する力を安定させるのが容易である工具保持器具を提供することを課題とする。
【課題を解決するための手段】
【０００７】
本発明に係る工具保持器具は、配電設備に取り付けられる本体と、操作棒の先端部に着脱可能な工具に取り付けられ又は設けられ、面ファスナにより本体に着脱可能な工具保持体とを備えることを特徴とする。
【０００８】
本発明に係る工具保持器具によれば、操作棒の先端部に着脱可能な工具に取り付けられ又は設けられる工具保持体が、面ファスナにより、配電設備に取り付けられる本体に着脱される。したがって、面ファスナを介して工具保持体を本体に装着することにより、工具を保持することができる。
【０００９】
また、本発明に係る工具保持器具においては、工具保持体は、面ファスナの一方の部材を備え、本体は、面ファスナの他方の部材を備えると共に、面ファスナの各部材が係合する際に、工具保持体を下方側から支持する支持部を備えてもよい。
【００１０】
かかる構成の工具保持器具によれば、工具保持体に設けられる面ファスナの一方の部材と、本体に設けられる面ファスナの他方の部材とが係合する際に、本体の支持部が工具保持体を下方側から支持する。これにより、工具保持体を本体に取り付けた状態においては、工具保持体が本体から離脱して落下するのを効果的に防止できる。
【００１１】
また、本発明に係る工具保持器具においては、本体は、面ファスナの他方の部材を配置する平面状の係合部を備え、係合部は、本体が配電設備に取り付けられた際に上下方向に沿って配置され、支持部は、工具保持体を下方側から支持すべく、係合部から突出して形成されてもよい。
【００１２】
かかる構成の工具保持器具によれば、本体が配電設備に取り付けられると、面ファスナの他方の部材を配置する平面状の係合部が上下方向に沿って配置される。そして、支持部が係合部から突出して形成されているため、例えば、工具保持体を本体に取り付ける際にも、支持部が工具保持体を下方側から支持できる。これにより、支持部が工具保持体の下方側を支持（係止）する状態で、工具保持体を回動させて本体に取り付けることにより、本体に対する工具保持体の位置決めを容易に行うことができる。
【００１３】
また、本発明に係る工具保持器具においては、面ファスナの各部材は、工具保持体が本体に取り付けられた際に、係合する面積が所定方向に向けて小さくなるように形成されてもよい。
【００１４】
かかる構成の工具保持器具によれば、工具保持体が本体に取り付けられた際に、面ファスナの各部材は、係合する面積が所定方向に向けて小さくなるように形成されている。これにより、面ファスナの各部材が所定方向と反対方向から離反するように、工具保持体に力を作用すれば、工具保持体を本体から容易に取り外すことができる。
【発明の効果】
【００１５】
以上の如く、本発明に係る工具保持器具によれば、面ファスナを介して工具保持体を本体に装着することにより、工具を保持することができ、その結果、操作棒を介して操作しても、工具を保持する力を安定させるのが容易にできるという優れた効果を奏する。
【図面の簡単な説明】
【００１６】
【図１】本発明の一実施形態に係る工具保持器具が使用される配電設備の概要正面図を示す。
【図２】同実施形態に係る工具保持器具に支持される工具に差し込まれるカットアウトの全体図であって、（ａ）は閉じられた状態の正面図、（ｂ）は開かれた状態の正面図、（ｃ）は開かれた状態の斜視図を示す。
【図３】同実施形態に係る工具保持器具の全体正面図を示す。
【図４】同実施形態に係る工具保持器具の全体側面図を示す。
【図５】同実施形態に係る工具保持器具における本体の全体図であって、（ａ）は側面図、（ｂ）は正面図を示す。
【図６】同実施形態に係る工具保持器具における工具保持体の全体図であって、（ａ）は側面図、（ｂ）は背面図を示す。
【図７】同実施形態に係る工具保持器具における、工具保持体が本体に取り付けられる状態を説明する全体図であって、（ａ）及び（ｂ）はそれぞれ側面図を示す。
【図８】同実施形態に係る工具保持器具における、工具保持体が本体から取り外される状態を説明する全体図であって、（ａ）及び（ｂ）はそれぞれ側面図を示す。
【図９】本発明の他の実施形態に係る工具保持器具の全体正面図を示す。
【図１０】同実施形態に係る工具保持器具における本体の全体図であって、（ａ）は平面図（上面図）、（ｂ）は側面図を示す。
【図１１】同実施形態に係る工具保持器具における工具保持体の全体図であって、（ａ）は側面図、（ｂ）は底面図（下面図）を示す。
【図１２】同実施形態に係る工具保持器具における、（ａ）は工具保持体が本体から取り外される状態を説明する全体側面図、（ｂ）は工具保持体がカットアウトに取り付けられた状態を説明する要部正面図を示す。
【図１３】同実施形態に係る工具保持器具における、工具保持体が本体に取り付けられる状態を説明する全体図であって、（ａ）及び（ｂ）はそれぞれ側面図を示す。
【発明を実施するための形態】
【００１７】
以下、本発明に係る工具保持器具における第１の実施形態について、図１〜図８を参酌して説明する。
【００１８】
本実施形態に係る工具保持器具は、図１に示すように、配電設備７に取り付けられる本体１と、操作棒８の先端部に着脱可能な工具（「先端工具」ともいわれる）２とを備える。そして、工具保持器具は、本体１と工具２とが面ファスナを介して着脱可能に構成される。なお、面ファスナ３とは、鉤状の突起が一面についた布の部材と、パイル状の面の部材とにより、一組みとなった留め具である。
【００１９】
ここで、本実施形態においては、本体１が取り付けられる配電設備７を、電柱７１から水平方向に延設される腕金７２とし、そして、工具２を、カットアウト７３に接続されるカットアウト接続器具（例えば、事故点探査装置の課電端子、又は、接地短絡装置の接地端子）としている。したがって、まずは、カットアウト７３及び操作棒８について説明する。
【００２０】
カットアウト７３は、図２に示すように、筒状に形成されるヒューズ７３１と、ヒューズ７３１を出入（挿抜）するための開口を形成する開口縁部７３２ａを有し、ヒューズ７３１を内部に収容するカットアウト本体７３２と、カットアウト本体７３２の開口を覆うカバー７３３とを備える。
【００２１】
カットアウト本体７３２は、ヒューズ７３１の導電刃７３１ａ，７３１ａに差し込まれる端子７３２ｂ，７３２ｂを備える。また、カバー７３３は、カットアウト本体７３２に枢着され、内側にヒューズ７３１を装着可能に構成される。そして、カットアウト本体７３２の各端子７３２ｂ，７３２ｂは、カバー７３３がカットアウト本体７３２の開口を閉塞する状態において、差し込まれた導電刃７３１ａ，７３１ａを挾持して保持する。
【００２２】
操作棒８は、間接活線工法で用いられるべく、絶縁性を有して長尺に形成される。そして、操作棒８は、工具２を装着するために係合すべく、円柱状に形成される先端部に、径方向に突出する凸状の係止部８１を備える。また、操作棒８は、基端部に、作業者に把持される把持部（図示及び採番しない）を備える。なお、操作棒８は、一般的に、共用操作棒や絶縁操作棒と呼ばれる。
【００２３】
本体１は、図３〜図５に示すように、断面が矩形状の腕金７２に取り付けられる取付部１１と、面ファスナの一方の部材（以下、「第１ファスナ部材」という）１２１を有する係合部１２とを備える。また、本体１は、工具２が取り付けられる際に、工具２を下方側から支持する支持部１３を備える。
【００２４】
取付部１１は、腕金７２を上下方向で挟持するための一対の挟持部材１１１，１１２を備える。なお、一対の挟持部材１１１，１１２においては、腕金７２の上方側に当接する一方を第１挟持部材１１１といい、腕金７２の下方側に当接する他方を第２挟持部材１１２という。また、取付部１１は、第２挟持部材１１２と一体的に形成され且つ操作棒８の先端部に装着される装着部１１３を備える。
【００２５】
第１挟持部材１１１は、下方側に向けて突出して段差状に形成される段差部１１１ａを備える。そして、段差部１１１ａは、さまざまな大きさの腕金７２に対して本体１を容易に位置決めできるように、腕金７２の角部を掛止可能に構成される。
【００２６】
第２挟持部材１１２は、上端部に腕金７２と当接する鍔状の当接部１１２ａを備える。そして、第２挟持部材１１２は、周方向（図５（ａ）におけるＡ矢印方向）に回転されると、螺子機構により、第１挟持部材１１１と接離可能に構成される。
【００２７】
（取付部１１の）装着部１１３は、操作棒８の先端部を外嵌するように円筒状に形成される。そして、該装着部１１３は、操作棒８の係止部８１に挿通され且つ係止される溝状の被係止部１１３ａを備える。
【００２８】
係合部１２は、矩形状で且つ平面状に形成され、第１ファスナ部材１２１を配置している。そして、係合部１２は、本体１が腕金７２に取り付けられた際に、第１ファスナ部材１２１と共に上下方向（鉛直方向）に沿って配置される。
【００２９】
第１ファスナ部材１２１は、矩形状に形成され、矩形状に形成される係合部１２の全体を覆うように配置される。なお、第１ファスナ部材１２１は、矩形状に形成される係合部１２の一部（上方部）のみ配置されていない。
【００３０】
支持部１３は、矩形状で且つ平面状に形成される係合部１２の下端部に沿って配置される。そして、支持部１３は、工具２が本体１に取り付けられる際に、工具２を下方側から支持すべく、係合部１２から突出して形成される。
【００３１】
工具２は、図３、図４及び図６に示すように、軸方向に長尺に形成される工具本体２１と、面ファスナの他方の部材（以下、「第２ファスナ部材」という）２２１を有する工具保持体２２とを備える。そして、工具２は、工具保持体２２が本体１の係合部１２と係合する、即ち、各ファスナ部材１２１、２２１が係合することにより、本体１に保持される。
【００３２】
工具本体２１は、一端部（上端部）に、カットアウト７３（具体的にはカットアウト本体７３２）の端子７３２ｂ，７３２ｂに差し込まれる端子部２１１を備え、端子部２１１は、平板状であって、略コ字状（略Ｃ字状）に形成される。また、工具本体２１は、他端部（下端部）に、操作棒８の先端部に装着される装着部２１２を備える。
【００３３】
（工具２の）装着部２１２は、操作棒８の先端部を外嵌するように円筒状に形成される。そして、該装着部２１２は、操作棒８の係止部８１に挿通され且つ係止される溝状の被係止部２１２ａを備える。なお、該装着部２１２は、取付部１１の装着部１１３と同一形状である。
【００３４】
工具保持体２２は、矩形状で且つ平面状に形成され、第２ファスナ部材２２１を配置している。そして、工具保持体２２は、工具本体２１の長手方向（軸方向）に沿って配置される。また、工具保持体２２は、各ファスナ部材同士１２１，２２１が係合する、即ち、工具２が本体１に取り付けられる際に、本体１の支持部１３に下端部を支持される。
【００３５】
第２ファスナ部材２２１は、工具本体２１の長手方向に沿って（上方から下方に向けて）面積が小さくなるように形成される。具体的には、第２ファスナ部材２２１は、台形状（三角形状）に形成される。
【００３６】
これにより、第１ファスナ部材１２１及び第２ファスナ部材２２１は、工具２（工具保持体２２）が本体１に取り付けられた際に、係合する面積が上方から下方に向けて小さくなるように形成される。なお、図５（ｂ）において、二点鎖線は、工具２が本体１に取り付けられた際の第２ファスナ部材２２１，…の位置を示している。
【００３７】
本実施形態に係る工具保持器具の構成は以上の通りであり、次に、本実施形態に係る工具保持器具の作用について、図７及び図８を参酌して、説明する。
【００３８】
まず、図７（ａ）に示すように、本体１の装着部１１３に装着された操作棒８を操作することにより、第２挟持部材１１２を周方向（図７（ａ）におけるＢ矢印方向）に回転させる。そして、第２挟持部材１１２を第１挟持部材１１１に接近させることにより、本体１（取付部１１）が腕金７２に取り付けられる。
【００３９】
その後、本体１の装着部１１３に代えて、工具２の装着部２１２に操作棒８を装着させる。そして、図７（ｂ）に示すように、工具保持体２２の上端部を支点として、腕金７２の周方向（図７（ｂ）におけるＣ矢印方向）に工具２を回動させるように、操作棒８を操作すると、工具２を本体１から取り外せる。
【００４０】
また、所定の作業が終了し、工具２を本体１に再び取り付ける際には、工具２の装着部２１２に操作棒８を装着させる。そして、図８（ａ）に示すように、工具保持体２２の下端部を本体１の支持部１３に支持させる。その状態で、工具保持体２２の下端部を支点として、腕金７２の周方向（図８（ａ）におけるＤ矢印方向）に工具２を回動させるように、操作棒８を操作する。
【００４１】
すると、図８（ｂ）に示すように、工具２が位置決めされて本体１に取り付けられる。また、工具２が本体１に取り付けられた状態においては、工具保持体２２の下端部が本体１の支持部１３に支持されている。
【００４２】
以上より、本実施形態に係る工具保持器具は、操作棒８の先端部に着脱可能な工具２に設けられる工具保持体２２が、腕金７２に取り付けられる本体１に、面ファスナ（一対のファスナ部材１２１，２２１）により着脱される。これにより、工具２を保持することができるため、操作棒８を介して操作しても、工具２を保持する力を安定させるのが容易にできる。
【００４３】
また、工具２（工具保持体２２）が面ファスナを介して本体１に取り付けられるため、工具２を本体１に取り付ける位置をフレキシブルに対応できる。具体的には、本体１は、係合部１２の何れの位置においても、工具保持体２２と係合して、工具２を保持することができるため、作業効率をさらに向上させることもできる。
【００４４】
また、本実施形態に係る工具保持器具は、各ファスナ部材１２１，２２１が係合する際に、本体１の支持部１３が工具保持体２２を下方側から支持する。これにより、工具２を本体１に取り付けた状態においては、工具２が本体１から離脱して落下するのを効果的に防止できる。
【００４５】
また、本実施形態に係る工具保持器具は、本体１が配電設備７に取り付けられると、係合部１２が第１ファスナ部材１２１と共に上下方向に沿って配置される。そして、支持部１３が係合部１２から突出して形成されるため、工具２を本体１に取り付ける際に、支持部１３が工具保持体２２を下方側から支持できる。これにより、支持部１３が工具保持体２２の下端部を支持（係止）する状態で、工具２を回動させて本体１に取り付けることにより、本体１に対する工具２の位置決めを容易に行うことができる。
【００４６】
また、本実施形態に係る工具保持器具は、第２ファスナ部材２２１が台形形状に形成されるため、工具２が本体１に取り付けられた際に、各ファスナ部材１２１，２２１の係合する面積が上方から下方に向けて小さくなるように形成されている。これにより、第２ファスナ部材２２１を下方側から離反するように、操作棒８を介して工具２に力を作用することにより、工具２を本体１から容易に取り外すことができる。
【００４７】
次に、本発明に係る工具保持器具における第２の実施形態、即ち、工具保持体と工具とが分割できる（別部材である）実施形態について、図９〜図１３を参酌して説明する。なお、図９〜図１３において、図１〜図８の符号と同一の符号を付した部分は、第１実施形態と同一の構成又は要素を表す。
【００４８】
本実施形態に係る工具保持器具は、図９〜図１１に示すように、腕金７２に取り付けられる本体３と、操作棒８の先端部に着脱可能な工具（先端工具）９，１０に取り付けられる工具保持体４とを備える。そして、工具保持器具は、本体３と工具保持体４とが面ファスナにより着脱可能に構成される。
【００４９】
なお、本実施形態においては、工具９，１０を、カットアウト７３に接続されるカットアウト接続器具（以下、「接続用工具」という）９や、カットアウト７３のカバー７３３を開閉させたり、ヒューズ７３１を操作したりするためのカットアウト操作具（以下、「操作用工具」という）１０としている。したがって、まずは、接続用工具９及び操作用工具１０について説明する。
【００５０】
接続用工具９は、一端部（上端部）に、カットアウト７３（具体的にはカットアウト本体７３２）の端子７３２ｂ，７３２ｂに差し込まれる端子部９１を備える。そして、端子部９１は、平板状であって、略コ字状（略Ｃ字状）に形成される。
【００５１】
また、接続用工具９及び操作用工具１０は、他端部（下端部）に、操作棒８の先端部に装着される装着部９２，１０１を備える。なお、両工具９，１０の装着部９２，１０１は、第１実施形態における工具２の装着部２１２と略同じ構成を採用している。
【００５２】
本体３は、腕金７２に取り付けられる取付部３１と、第１ファスナ部材３２１を有する係合部３２とを備える。そして、本体３は、工具支持体４が取り付けられる際に、工具支持体４を下方側から支持する支持部３３と、工具支持体４を案内する案内部３４とを備える。
【００５３】
取付部３１は、腕金７２を上下方向で挟持するための一対の挟持部材３１１，３１２と、操作棒８の先端部に装着される装着部３１３とを備える。なお、各挟持部材３１１，３１２は、それぞれ第１実施形態における本体１の各挟持部材１１１，１１２と、そして、装着部３１３は、第１実施形態における本体１の装着部１１３と略同じ構成を採用しているため、説明を省略する。
【００５４】
（本体３の）係合部３２は、矩形状で且つ平面状に形成され、第１ファスナ部材３２１を配置している。そして、係合部３２は、本体３が腕金７２に取り付けられた際に、第１ファスナ部材３２１と共に横方向（水平方向）に沿って配置される。また、第１ファスナ部材３２１は、矩形状に形成され、矩形状に形成される係合部３２の先端側を覆うように配置される。
【００５５】
支持部３３は、平板状に形成される。そして、支持部３３は、本体３が腕金７２に取り付けられた際に、横方向（水平方向）に沿って配置される。なお、支持部３３は、上面が係合部３２を兼ねるように構成されている。
【００５６】
案内部３４は、平面状に形成され、本体部３が腕金７２に取り付けられた際に、上下方向（鉛直方向）に沿って配置される。そして、案内部３４は、支持部３３（係合部３２）の基端側から下方側に突出し且つ支持部３３（係合部３２）と直交するように配設される。
【００５７】
工具保持体４は、工具９，１０を固定するための工具固定部４１を備える。また、工具保持体４は、第２ファスナ部材４２１を有する係合部４２と、本体３に取り付けられる際に案内部３４に案内される被案内部４３とを備える。
【００５８】
工具固定部４１は、工具９，１０を挟持して固定する一対の固定部材４１１，４１２と、一対の固定部材４１１，４１２間の距離を調整するための締結手段４１３とを備える。なお、一対の固定部材４１１，４１２は、さまざまな形状の工具９，１０に対応すべく、内側（互いに対向する側）に弾性体（図示していない）を備えていてもよい。
【００５９】
（工具保持体４の）係合部４２は、工具９，１０の軸方向（長手方向）と直交する方向に延設される板状部材（後述する抜止手段４４）の一方面（下面）に形成される。そして、係合部４２は、矩形状で且つ平面状に形成され、第２ファスナ部材４２１を先端側に配置している。なお、係合部４２は、各ファスナ部材同士３２１，４２１が係合する、即ち、工具保持体４が本体３に取り付けられる際に、本体３の支持部３３に下方側から支持される。
【００６０】
第２ファスナ部材４２１は、係合部４２の先端側から基端側に向けて面積が小さくなるように形成される。具体的には、第２ファスナ部材４２１は、二つの山を有する形状（矩形状から切欠を設けた形状）に形成される。なお、第２ファスナ部材４２１は、係合部４２の基端側には、配置されていない。
【００６１】
これにより、第１ファスナ部材３２１及び第２ファスナ部材４２１は、工具保持体４が本体３に取り付けられた際に、係合する面積が先端側から基端側に向けて小さくなるように形成される。なお、図１０（ａ）において、二点鎖線は、工具保持体４が本体３に取り付けられた際の第２ファスナ部材４２１，…の位置を示している。
【００６２】
被案内部４３は、工具９，１０の軸方向（長手方向）に沿って延設される板状部材の一方面に形成される。具体的には、被案内部４３は、平面状に形成され、係合部４２の基端側から下方側に突出し且つ係合部４２と直交するように配設される。
【００６３】
本実施形態に係る工具保持器具の構成は以上の通りであり、次に、本実施形態に係る工具保持器具の作用について、図１２及び図１３を参酌して、説明する。
【００６４】
まず、本体３の装着部３１３に装着された操作棒８を操作することにより、両挟持部材３１１，３１２が腕金７２を挟持して、本体３（取付部３１）が腕金７２に取り付けられる。その後、本体３の装着部３１３に代えて、接続用工具９の装着部９２に操作棒８を装着させる。
【００６５】
そして、図１２（ａ）に示すように、係合部４２の先端側を支点として、腕金７２の周方向（図１２（ａ）におけるＥ矢印方向）に接続用工具９を回動させるように、操作棒８を操作する。すると、各ファスナ部材３２１，４２１を有していない各係合部３２，４２の基端側が容易に離反し、さらに、各ファスナ部材３２１，４２１が係合する力よりも大きな力を、操作棒８を介して工具保持体４に加えることにより、工具保持体４を本体３から取り外せる。
【００６６】
その後、取り外した接続用工具９の端子部９１をカットアウト７３の端子７３２ｂ（図１２において図示していない）に差し込み、操作棒８を接続用工具９の装着部９２から取り外すと、図１２（ｂ）に示すように、接続用工具９がカットアウト７３に接続される。このとき、カットアウト７３が一般的に傾斜して配設されているため、カットアウト７３の下方側の端子７３２を中心に回動する（図１２（ｂ）におけるＦ矢印方向に）力が接続用工具９に働く。
【００６７】
しかしながら、接続用工具９が回動した場合には、接続用工具９の軸方向と直交する方向に延設される工具保持体４の板状部材がカットアウト７３に係止されるため、接続用工具９がカットアウト７３から抜け出すのを防止する。したがって、当該板状部材が抜止手段４４として機能する。
【００６８】
また、所定の作業が終了し、工具保持体４を本体３に再び取り付ける際には、接続用工具９の装着部９２に操作棒８を装着させる。そして、図１３（ａ）に示すように、工具保持体４の被案内部４３が本体３の案内部３３に案内されるよう（図１３（ａ）におけるＧ矢印方向）に、操作棒８を操作する。
【００６９】
すると、図１３（ｂ）に示すように、工具保持体４が位置決めされて本体３に取り付けられる。また、工具保持体４が本体３に取り付けられた状態においては、工具保持体４の係合部４２（抜止手段４４）が本体３の支持部３３に下方側から支持されている。
【００７０】
以上より、本実施形態係る工具保持器具は、操作棒８の先端部に着脱可能な各工具９，１０に取り付けられる工具保持体４が、面ファスナ（各ファスナ部材３２１，４２１）により、腕金７２に取り付けられる本体３に着脱される。これにより、各工具９，１０を保持することができるため、操作棒８を介して操作しても、各工具９，１０を保持する力を安定させるのが容易にできる。
【００７１】
また、本実施形態に係る工具保持器具は、異なる用途（種類）の工具９，１０、即ち、カットアウト７３を操作する操作用工具１０と、カットアウト７３に接続される接続用工具９とを並べて保持する。したがって、保持する工具をフレキシブルに対応できるため、所定の作業で使用される工具を（全て）並べて保持させることにより、作業の効率を向上させることができる。
【００７２】
また、本実施形態に係る工具保持器具は、各係合部３２，４２（各ファスナ部材３２１，４２１）が係合する際に、本体３の支持部３３が工具保持体４を下方側から支持する。これにより、工具保持体４を本体３に取り付けた状態においては、工具保持体４が本体３から離脱して落下するのを効果的に防止できる。
【００７３】
また、本実施形態に係る工具保持器具は、工具保持体４を本体３に取り付ける際に、本体３の案内部３４が工具保持体４の被案内部４３を案内する。これにより、本体３に対する工具保持体４の位置決めを容易に行うことができる。
【００７４】
また、本実施形態に係る工具保持器具は、工具保持体４が本体３に取り付けられた際に、各ファスナ部材３２１，４２１は、係合する面積が先端側から基端側に向けて小さくなるように形成されている。しかも、各係合部３２，４２の基端側には、ファスナ部材が設けられていないため、各係合部３２，４２が基端側から離反するように、工具保持体４に力を作用させることにより、工具保持体４を本体３から容易に取り外すことができる。
【００７５】
また、本実施形態に係る工具保持器具は、接続用工具９がカットアウト７３に接続された際には、接続用工具９の軸方向と直交する方向に延設される抜止手段４４がカットアウト７３の近傍に（又は当接して）配置されるため、接続用工具９が回動してカットアウト７３から抜けるのを防止できる。
【００７６】
なお、本発明に係る工具保持器具は、上記した実施の形態に限定されるものではなく、本発明の要旨を逸脱しない範囲内において種々変更を加え得ることは勿論である。また、上記した複数の実施形態の構成や方法等を任意に採用してもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００７７】
例えば、本発明に係る工具保持器具は、工具保持体を本体に着脱させる際に、工具保持体が本体に掛止するフック状の掛止部を備えてもよい。例えば、第１実施形態における工具保持体２２においては、上端部に掛止部を備え、掛止部は、本体１から取り外す際や本体１に取り付ける際に、本体１の上端部を掛止するように構成されてもよい。
【００７８】
また、上記実施形態に係る工具保持器具においては、第１ファスナ部材１２１，３２１が台形状や二つの山を有する形状に形成される場合を説明したが、第２ファスナ部材がそのような形状に形成される場合でもよく、また、各ファスナ部材は、そのような形状に限定されるものでなく、さまざま形状とすることができる。
【００７９】
また、上記実施形態に係る工具保持器具においては、本体１，３を取り付ける配電設備７が腕金７２である場合を説明したが、かかる場合に限られない。例えば、電柱７１に設けられる足場用ボルトや、他の配電設備の場合でもよい。したがって、本体は、取り付けられる配電設備に対応して構成されることは言うまでもない。
【符号の説明】
【００８０】
１…本体、２…工具、７…配電設備、８…操作棒、１２…（本体の）係合部、１３…支持部、２２…工具保持体、１２１，２２１…面ファスナの部材
【図１】
2010193611.tif 000003
【図２】
2010193611.tif 000004
【図３】
2010193611.tif 000005
【図４】
2010193611.tif 000006
【図５】
2010193611.tif 000007
【図６】
2010193611.tif 000008
【図７】
2010193611.tif 000009
【図８】
2010193611.tif 000010
【図９】
2010193611.tif 000011
【図１０】
2010193611.tif 000012
【図１１】
2010193611.tif 000013
【図１２】
2010193611.tif 000014
【図１３】
2010193611.tif 000015